(57)【要約】【課題】蓄積ＦＡＸに加入しているＦＡＸ装置から送信されるＦＡＸデータをＦＡＸ送信による再送信の際に受信できる画像通信装置を提供すること。【解決手段】受信側ＦＡＸ装置１００では、前回の接続手続が未完了で終了し、次にモデム２３が呼出信号を検出する場合、モデム２３に電話回線を閉結させた後、所定の検出時間が経過するまでの間に、ビジートーンが検出された場合、接続手続をモデム２３に実行させない。一方、前回の接続手続が未完了で終了し、次にモデム２３が呼出信号を検出する場合、モデム２３に電話回線を閉結させた後、検出時間が経過するまでの間に、ビジートーンが検出されない場合、接続手続をモデム２３に実行させる。【選択図】図３
2018174363.tif 000002
【特許請求の範囲】
【請求項１】
電話回線に接続されるモデムと、
制御部と、
を備え、
前記制御部は、
前記電話回線を介して送信される呼出信号を前記モデムが検出すると、前記モデムに前記電話回線を閉結させ、接続先との能力情報のやり取りを含む接続手続を前記モデムに実行させるＦＡＸ受信準備処理と、
前記ＦＡＸ受信準備処理の後、前記接続手続が完了した場合、前記モデムに前記電話回線を介して送信されるＦＡＸデータを受信させるＦＡＸデータ受信処理と、
を実行し、
前記ＦＡＸ受信準備処理では、
前記ＦＡＸ受信準備処理の前に行われた前記接続手続が未完了で終了し、次に前記モデムが呼出信号を検出する場合、前記モデムに前記電話回線を閉結させた後、所定の検出時間が経過するまでの間に、前記電話回線が開放されたことを示すビジートーンが検出された場合、前記接続手続を前記モデムに実行させず、
前記ＦＡＸ受信準備処理の前に行われた前記接続手続が未完了で終了し、次に前記モデムが呼出信号を検出する場合、前記モデムに前記電話回線を閉結させた後、前記検出時間が経過するまでの間に、前記ビジートーンが検出されない場合、前記接続手続を前記モデムに実行させる、
ことを特徴とする画像通信装置。
【請求項２】
電話回線に接続されるモデムと、
制御部と、
を備え、
前記制御部は、
前記電話回線を介して送信される呼出信号を前記モデムが検出すると、前記モデムに前記電話回線を閉結させ、その後、所定の受信時間が経過するまでにＦＡＸ識別信号を受信した場合、接続先との能力情報のやり取りを含む接続手続を前記モデムに実行させるＦＡＸ受信準備処理と、
前記ＦＡＸ受信準備処理の後、前記接続手続が完了した場合、前記モデムに前記電話回線を介して送信されるＦＡＸデータを受信させるＦＡＸデータ受信処理と、
を実行し、
前記ＦＡＸ受信準備処理では、
前記ＦＡＸ受信準備処理の前に行われた前記接続手続が未完了で終了し、次に前記モデムが呼出信号を検出する場合、前記モデムに前記電話回線を閉結させた後、所定の検出時間が経過するまでの間に、前記電話回線が開放されたことを示すビジートーンが検出された場合、前記接続手続を前記モデムに実行させず、
前記ＦＡＸ受信準備処理の前に行われた前記接続手続が未完了で終了し、次に前記モデムが呼出信号を検出する場合、前記モデムに前記電話回線を閉結させた後、前記検出時間が経過するまでの間に、前記ビジートーンが検出されない場合、前記接続手続を前記モデムに実行させる、
ことを特徴とする画像通信装置。
【請求項３】
請求項１または請求項２に記載する画像通信装置において、
更に記憶部を備え、
前記制御部は、
前記接続手続が未完了で終了した場合、前記記憶部に前記接続手続が未完了であったことを示す特定情報を記憶し、
前記ＦＡＸ受信準備処理では、
前記記憶部に前記特定情報が記憶されている場合に、前記接続手続が未完了で終了したものとする、
ことを特徴とする画像通信装置。
【請求項４】
請求項３に記載する画像通信装置において、
前記制御部は、
前記記憶部に前記特定情報を記憶した後、所定の有効時間が経過しても前記記憶部に前記特定情報が記憶されたままであった場合、前記記憶部から前記特定情報を消去する、
ことを特徴とする画像通信装置。
【請求項５】
請求項３または請求項４に記載する画像通信装置において、
前記記憶部は、
電話番号と通信タイプとが関連付けられた通信情報を記憶し、
前記制御部は、
前記電話回線を介して送信される起動信号を前記モデムが検出すると、前記モデムに前記電話回線を閉結させて相手先の電話番号を受信する番号受信処理を実行し、
さらに前記制御部は、
前記記憶部に記憶されている電話番号の中に、前記番号受信処理にて受信した電話番号と同じ電話番号が有り、その電話番号と関連付けられた通信タイプが、第１タイプであり、前回の着信時において前記電話回線が閉結されてから所定時間が経過するまでの間に前記ビジートーンが検出されなかった場合、前記モデムに前記電話回線を閉結させた後、前記接続手続を前記モデムに実行させず、
前記記憶部に記憶されている電話番号の中に、前記番号受信処理にて受信した電話番号と同じ電話番号が有り、その電話番号と関連付けられた通信タイプが、第２タイプであった場合、あるいは通信タイプが前記第１タイプであり、前回の着信時において前記電話回線が閉結されてから前記所定時間が経過するまでの間に前記ビジートーンが検出された場合、前記モデムに前記電話回線を閉結させた後、前記接続手続を前記モデムに実行させる、
ことを特徴とする画像通信装置。
【請求項６】
請求項５に記載する画像通信装置において、
さらに前記制御部は、
前記記憶部に記憶されている電話番号の中に、前記番号受信処理にて受信した電話番号と同じ電話番号が無い場合、
前記ＦＡＸ受信準備処理での前記接続手続が完了しなかった場合、前記記憶部に、前記番号受信処理にて受信した電話番号と前記第１タイプを示す前記通信タイプとを関連付けて記憶させ、
前記ＦＡＸ受信準備処理での前記接続手続が完了した場合、前記記憶部に、前記番号受信処理にて受信した電話番号と前記第２タイプを示す前記通信タイプとを関連付けて記憶させる、
ことを特徴とする画像通信装置。
【発明の詳細な説明】
【技術分野】
【０００１】
本発明は、ファックス（ＦＡＸ）通信が可能な画像通信装置に関する。さらに詳細には、ＦＡＸ通信を行う場合における受信側の画像通信装置の制御に関するものである。
【背景技術】
【０００２】
特許文献１に開示されているように、ＦＡＸ装置と画像通信装置とが一般電話回線網を介して接続される構成が知られているが、近年、ＦＡＸ装置と通信ボックスとが接続され、通信ボックスが電波を介して特定の通信キャリアの電話回線網の基地局と接続され、さらにゲートウェイとを経由して一般回線網を介して画像通信装置に接続される蓄積ＦＡＸのサービスがある。
【０００３】
蓄積ＦＡＸのサービスでは、蓄積ＦＡＸに加入しているＦＡＸ装置（蓄積ＦＡＸのＦＡＸ装置）から、ＦＡＸデータを一般電話回線網に接続されている画像通信装置に送信する場合、一旦、ＦＡＸデータが特定の通信キャリアの電話回線網に置かれた中継ＦＡＸ装置に蓄えられ、中継ＦＡＸ装置に蓄えられたＦＡＸデータが中継ＦＡＸ装置によって画像通信装置に送信されるという２段階の工程を用いている。
【０００４】
また、一般電話回線網に接続されている画像通信装置は、呼出信号を電話回線を介して検出すると、電話回線を介して接続されている相手先装置と所定の接続手続を行い、通信速度、圧縮率、原稿サイズなどの通信条件を決定した上で、相手先装置から送信されるＦＡＸデータを受信する。画像通信装置は、呼出信号を検出しても、相手先装置からのＦＡＸ受信なのか電話通信なのかが分からないため、呼出信号を検出した後、相手先装置から送信されるＦＡＸ識別信号（ＣＮＧ信号）を受信することで、相手先装置と所定の接続手続を開始する。
【０００５】
また、画像通信装置には、ＦＡＸ受信専用モードといった各種モードが設定可能となっているものがある。ＦＡＸ受信専用モードでは、画像通信装置は、ＣＮＧ信号の受信の有無に関わらず、相手先装置に被呼識別信号（ＣＥＤ信号）を送信し、相手先装置と所定の接続手続を開始する。画像通信装置は、所定の接続手続の後、相手先装置から送信されるＦＡＸデータを受信する。
【先行技術文献】
【特許文献】
【０００６】
【特許文献１】特開２００４−３５６９８３号公報
【発明の概要】
【発明が解決しようとする課題】
【０００７】
一般電話回線網に接続されている画像通信装置が、蓄積ＦＡＸのＦＡＸ装置から送信されるＦＡＸデータを受信できないという問題があった。すなわち、蓄積ＦＡＸのＦＡＸ装置が画像通信装置の電話番号をダイヤルすることによって、画像通信装置が呼出信号を受信する。その後、蓄積ＦＡＸのＦＡＸ装置は、ＣＮＧ信号を送信する。すると、中継ＦＡＸ装置は、特定の通信キャリアの電話回線網を通るＣＮＧ信号を確認し、ＦＡＸ送信であることを確認すると、一旦、ゲートウェイに一般電話回線網との接続を切断させる。そして、中継ＦＡＸ装置は、蓄積ＦＡＸのＦＡＸ装置からＦＡＸデータを受信して蓄積する。そして、中継ＦＡＸ装置は、蓄積したＦＡＸデータを改めて画像通信装置に送信する。
【０００８】
ところが、一般電話回線網に接続されている画像通信装置は、中継ＦＡＸ装置がＣＮＧ信号を確認してからゲートウェイに一般電話回線網との接続を切断させるよりも前に、ＦＡＸデータの受信に先立って行われる所定の接続手続を開始し、ＣＥＤ信号を送信する場合がある。すると、蓄積ＦＡＸのＦＡＸ装置は、画像通信装置からのＣＥＤ信号と、中継ＦＡＸ装置からのＣＥＤ信号と、をそれぞれ受け取ることになり、結果として送信失敗となる。
【０００９】
本発明は、前記した従来の技術が有する問題点を解決するためになされたものである。すなわちその課題とするところは、蓄積ＦＡＸのＦＡＸ装置から送信されるＦＡＸデータをＦＡＸ送信による再送信の際に受信できる画像通信装置を提供することにある。
【課題を解決するための手段】
【００１０】
この課題の解決を目的としてなされた画像通信装置は、電話回線に接続されるモデムと、制御部と、を備え、前記制御部は、前記電話回線を介して送信される呼出信号を前記モデムが検出すると、前記モデムに前記電話回線を閉結させ、接続先との能力情報のやり取りを含む接続手続を前記モデムに実行させるＦＡＸ受信準備処理と、前記ＦＡＸ受信準備処理の後、前記接続手続が完了した場合、前記モデムに前記電話回線を介して送信されるＦＡＸデータを受信させるＦＡＸデータ受信処理と、を実行し、前記ＦＡＸ受信準備処理では、前記ＦＡＸ受信準備処理の前に行われた前記接続手続が未完了で終了し、次に前記モデムが呼出信号を検出する場合、前記モデムに前記電話回線を閉結させた後、所定の検出時間が経過するまでの間に、前記電話回線が開放されたことを示すビジートーンが検出された場合、前記接続手続を前記モデムに実行させず、前記ＦＡＸ受信準備処理の前に行われた前記接続手続が未完了で終了し、次に前記モデムが呼出信号を検出する場合、前記モデムに前記電話回線を閉結させた後、前記検出時間が経過するまでの間に、前記ビジートーンが検出されない場合、前記接続手続を前記モデムに実行させる、ことを特徴としている。
【００１１】
画像通信装置は、ＦＡＸデータの受信に先立って行われる接続手続を、呼出信号を検出することで実行する。つまり、画像通信装置は、接続手続を、ＣＮＧ信号の受信の有無に関わらずモデムに実行させる。蓄積ＦＡＸのＦＡＸ装置から送信されるＦＡＸデータは、画像通信装置がＣＥＤ信号の受信に関わらず接続手続をモデムに実行させることによって、蓄積ＦＡＸのＦＡＸ装置との接続手続が完了しないことによって失敗する。
【００１２】
その後、蓄積ＦＡＸのＦＡＸ装置からの再送信があるが、画像通信装置では、前回の呼出信号の検出時、接続手続が完了しない未完了であった場合、ＣＮＧ信号の受信の有無に関わらずモデムに接続手続を実行させることはせず、所定の検出時間の間、ビジートーンを検出する。所定の検出時間が経過する前にビジートーンを検出した場合、蓄積ＦＡＸのＦＡＸ装置からのＦＡＸデータの送信、すなわち蓄積ＦＡＸのＦＡＸ装置の再送信のための、ゲートウェイによる回線の切断である。回線が切断されることから、画像通信装置は、接続手続を行わない。画像通信装置が接続手続を行わないため、蓄積ＦＡＸのＦＡＸ装置は、中継ＦＡＸ装置との接続手続を完了させることができる。
【００１３】
一方、画像通信装置は、ビジートーンが検出されないまま所定の検出時間が経過した場合、蓄積ＦＡＸのＦＡＸ装置からの再送信ではなく、一般回線網からのＦＡＸ受信であるため、モデムに接続手続を行わせることで、一般回線網からのＦＡＸ受信も行うことができる。
【００１４】
上記装置の機能を実現するための制御方法、コンピュータプログラム、および当該コンピュータプログラムを格納するコンピュータにて読取可能な記憶媒体も、新規で有用である。
【発明の効果】
【００１５】
本発明によれば、蓄積ＦＡＸのＦＡＸ装置から送信されるＦＡＸデータをＦＡＸ送信による再送信の際に受信できる画像通信装置が実現される。
【図面の簡単な説明】
【００１６】
【図１】実施の形態に係る複合機の電気的構成を示すブロック図である。
【図２】蓄積ＦＡＸを実現するためのシステムおよび蓄積ＦＡＸの手順を示す図である。
【図３】実施の形態にかかる蓄積ＦＡＸの手順を示す図である。
【図４】第１の形態に係る複合機におけるメイン処理の手順を示すフローチャートである。
【図５】第１の形態に係る複合機におけるＦＡＸ通信処理の手順を示すフローチャートである。
【図６】第２の形態に係る複合機におけるメイン処理の手順を示すフローチャートである。
【図７】電話番号と通信態様とを関連付けて記憶するデータベースを示す図である。
【図８】第３の形態に係る複合機におけるメイン処理を示すフローチャートである。
【図９】第３の形態に係る複合機における登録済受信処理を示すフローチャートである。
【図１０】第３の形態に係る複合機における未登録受信処理を示すフローチャートである。
【図１１】第３の形態に係る複合機における未登録受信処理の変形例を示すフローチャートである。
【発明を実施するための形態】
【００１７】
以下、本発明にかかる画像通信装置を具体化した実施の形態について、添付図面を参照しつつ詳細に説明する。本形態は、ファクシミリ（ＦＡＸ）通信機能を備えた複合機（ＭＦＰ：Ｍｕｌｔｉ−Ｆｕｎｃｔｉｏｎ  Ｐｅｒｉｐｈｅｒａｌ）に本発明を適用したものである。
【００１８】
＜ＭＦＰの内部構成＞
ＭＦＰ１００は、図１に示すように、ＦＡＸ通信部３０と、ＬＡＮインターフェース３２と、ＵＳＢインターフェース３３と、電源部３４と、ＡＳＩＣ４１と、ＲＯＭ５１と、ＲＡＭ５２と、画像形成部５３と、画像読取部５４と、操作部５５と、表示部５６と、ＮＶＲＡＭ５７と、を備えている。ＮＶＲＡＭ５７は、不揮発性のメモリである。
【００１９】
ＦＡＸ通信部３０は、回線接続端子１１と、外付電話接続端子１２と、に接続される。回線接続端子１１には、ラインコード（図２参照）が接続される。外付電話接続端子１２には、外付電話（不図示）が接続される。ＦＡＸ通信部３０は、回線接続端子１１を介して接続される通信ボックス４００（図２参照）を介して、相手先のＦＡＸ装置からＦＡＸ画像データを受信することが可能である。また、ＦＡＸ通信部３０は、回線接続端子１１を介して接続される交換機を介して、相手先のＦＡＸ装置に対してＦＡＸデータを送信すること、および相手先のＦＡＸ装置からＦＡＸデータを受信することが可能である。
【００２０】
具体的にＦＡＸ通信部３０には、モデム２３が含まれる。モデム２３は、回線接続端子１１を介して受信したアナログ信号をデジタル信号に変換し、ＡＳＩＣ４１に出力する。また、モデム２３は、ＡＳＩＣ４１から送られるデジタル信号をアナログ信号に変換し、回線接続端子１１を介して送信する。すなわち、モデム２３は、信号の変復調を行う回路である。
【００２１】
ＬＡＮインターフェース（ＬＡＮ  Ｉ／Ｆ）３２は、ＬＡＮケーブルを接続可能な端子（不図示）を備え、その端子を介してコンピュータ等を含むＬＡＮに接続される。ＬＡＮインターフェース３２は、ＬＡＮで接続されたコンピュータとの間で、画像データや制御命令等を送受信する。
【００２２】
ＵＳＢインターフェース（ＵＳＢ  Ｉ／Ｆ）３３は、ＵＳＢ端子（不図示）を備え、その端子を介してコンピュータや、記憶デバイスとして機能するＵＳＢメモリに接続される。そして、ＵＳＢインターフェース３３は、ＵＳＢ端子に接続されたコンピュータやＵＳＢメモリとの間で、画像データや制御命令等を送受信する。
【００２３】
電源部３４は、商用電源に接続可能であって、商用電源から供給される電力を、ＦＡＸ通信部３０、画像形成部５３、画像読取部５４、ＡＳＩＣ４１といった各部に適合する電力に変換し、変換後の電力をそれぞれ供給する。
【００２４】
ＡＳＩＣ４１は、ＣＰＵ４０を搭載している。ＣＰＵ４０は、ＡＳＩＣ４１に入力される情報に基づいて、各種の処理のためのプログラムを実行する。そして、ＣＰＵ４０は、電源部３４、画像形成部５３、画像読取部５４、表示部５６、ＦＡＸ通信部３０、といった各部を制御する。ＣＰＵ４０は、制御部の一例である。また、ＡＳＩＣ４１が制御部の一例であってもよい。
【００２５】
ＲＯＭ５１には、ＣＰＵ４０によって実行されるプログラムおよび各種のデータが記憶されている。ＲＡＭ５２は、ＣＰＵ４０がプログラムを実行する際のワークエリアとして使用される。また、ＲＡＭ５２には、ＦＡＸ通信部３０やＬＡＮインターフェース３２が受信した画像データが記憶される。ＮＶＲＡＭ５７は、ＣＰＵ４０によって実行されるプログラムで用いられるデータが記憶される。ＲＡＭ５２ないしＮＶＲＡＭ５７は、記憶部の一例である。
【００２６】
画像形成部５３は、ＲＡＭ５２やＵＳＢ端子に接続されたＵＳＢメモリに記憶された画像データの印刷を行う。すなわち、画像形成部５３は、画像データに基づいて、シートに画像を形成する。画像形成の方式は、電子写真方式であってもよいし、インクジェット方式であってもよい。また、画像形成部５３で行われる印刷は、カラー印刷であってもよいし、モノクロ印刷であってもよい。
【００２７】
画像読取部５４は、シートから画像を読み取り、画像データとしてＲＡＭ５２に記憶させる。本形態の画像読取部５４は、ＣＩＳ（Ｃｏｎｔａｃｔ  Ｉｍａｇｅ  Ｓｅｎｓｏｒ）方式でシートの画像を読み取るように構成されるが、画像読取の方式はこれに限るものではない。
【００２８】
操作部５５は、各種の操作ボタンからなる。ユーザは、操作ボタンの押下により、ＭＦＰ１００に対して各種の入力が可能である。操作ボタンには、例えば、印刷開始指示のような各種の指示を確定するためのＯＫボタン、各種の指示をキャンセルするためのキャンセルボタン、選択するための十字ボタン、数字や文字を入力するためのテンキー、が含まれる。ＡＳＩＣ４１は、操作部５５から各種の操作に対応する信号が入力され、入力された信号に応じて、ＭＦＰ１００の各部を制御する。
【００２９】
表示部５６は、例えば、液晶表示器や各種のランプからなる。なお、液晶表示としてタッチパネルを設けた場合、タッチパネルは、画像表示機能と入力機能とを有することから、表示部５６と操作部５５とを兼ねる。
【００３０】
＜蓄積ＦＡＸの概要＞
続いて、蓄積ＦＡＸの概要について説明する。図２は、蓄積ＦＡＸを実現するためのシステム９００の構成を示している。図２では、ＭＦＰ１００とＭＦＰ２００との間でＦＡＸデータの送受信を行う。ＭＦＰ２００は、ＭＦＰ１００と同じ構成を有しており、詳細な説明は省略する。ＭＦＰ１００は、本願の画像通信装置の一例である。
【００３１】
システム９００には、特定の通信キャリアによって提供される電話回線網であって、蓄積ＦＡＸのサービスを提供することが可能な蓄積ＦＡＸ電話回線網９２０が含まれる。蓄積ＦＡＸ電話回線網９２０には、その特定の通信キャリアの基地局９２１と、中継ＦＡＸ装置３００と、通信ボックス４００と、ゲートウェイ９２２と、が含まれる。蓄積ＦＡＸ電話回線網９２０は、電話回線網であることから、その特定の通信キャリアに対応する携帯電話５００は、基地局９２１を経由して、例えば他の携帯電話（不図示）との通話が可能である。
【００３２】
ＭＦＰ２００は、顧客向けに予め備えられた通信ボックス４００を介して、蓄積ＦＡＸ電話回線網９２０と接続されている。具体的にＭＦＰ２００は、通信ボックス４００とラインコードによって接続されている。
【００３３】
通信ボックス４００は、ＦＡＸデータの変換および圧縮を行う中継器である。具体的に、ＭＦＰ２００からＦＡＸデータを送信する際、通信ボックス４００は、ＭＦＰ２００から送信されたＦＡＸデータのＡＤ変換および圧縮を行い、圧縮後のＦＡＸデータを通信キャリアの電波を利用して送信する。一方、ＭＦＰ２００へのＦＡＸデータを受信する際、通信ボックス４００は、通信キャリアの電波を介して受信したＦＡＸデータの復調およびＤＡ変換を行い、変換後のＦＡＸデータをＭＦＰ２００に送信する。
【００３４】
すなわち、ＭＦＰ２００は、通信ボックス４００と接続され、通信ボックス４００が電波を介して基地局９２１と接続される。蓄積ＦＡＸ電話回線網９２０は、ゲートウェイ９２２を介して一般回線網９１０と接続されている。また、ＭＦＰ１００は、一般回線網９１０と接続されている。そのため、ＭＦＰ２００からＭＦＰ１００にＦＡＸデータを送信する際、ＭＦＰ２００から送信されたＦＡＸデータは、蓄積ＦＡＸ電話回線網９２０を経由して一般回線網９１０に渡り、一般回線網９１０を経由してＭＦＰ１００に到達することになる。また、ＭＦＰ１００からＭＦＰ２００にＦＡＸデータを送信する際、ＭＦＰ１００から送信されたＦＡＸデータは、一般回線網９１０を経由して蓄積ＦＡＸ電話回線網９２０に渡り、蓄積ＦＡＸ電話回線網９２０を経由してＭＦＰ２００に到達することになる。
【００３５】
中継ＦＡＸ装置３００は、ゲートウェイ９２２を通過するＰ２Ｐでのデータの送受信を監視する。例えば、図２に示した構成では、中継ＦＡＸ装置３００は、ＭＦＰ１００とＭＦＰ２００との間のデータの送受信を監視する処理を行っている。
【００３６】
上述のシステム９００において、ＭＦＰ２００（「送信側ＦＡＸ装置２００」とする）からＭＦＰ１００（「受信側ＦＡＸ装置１００」とする）に対してＦＡＸデータを送信する場合、送信側ＦＡＸ装置２００から受信側ＦＡＸ装置１００への本来のルートではなく、送信側ＦＡＸ装置２００から送信されたＦＡＸデータが一旦、中継ＦＡＸ装置３００に蓄積され（図２中の（１））、その後、中継ＦＡＸ装置３００から受信側ＦＡＸ装置１００に送信される（図２中の（２））、といった２段階の工程を踏むルートになる。蓄積ＦＡＸ電話回線網９２０を介したＦＡＸ送信ではデータ遅延が大きくなり、本来のルートではＦＡＸ通信の接続手続が途中で中断してしまう場合があり、正常なＦＡＸ通信が妨げられるからである。
【００３７】
具体的に蓄積ＦＡＸでは、次のような手順を踏むことになる。先ず、送信側ＦＡＸ装置２００と受信側ＦＡＸ装置１００との回線が閉結された後、送信側ＦＡＸ装置２００から受信側ＦＡＸ装置１００に対してＦＡＸ識別信号（ＣＮＧ信号）が送信される。
【００３８】
中継ＦＡＸ装置３００は、ＣＮＧ信号を監視しており、ＣＮＧ信号を検出すると、すなわち蓄積ＦＡＸ電話回線網９２０内のゲートウェイ９２２を通過するデータを監視する中でＣＮＧ信号を見つけると、送信側ＦＡＸ装置２００と受信側ＦＡＸ装置１００との回線を強制的に開放させる指示をゲートウェイ９２２に出力する。これにより、ゲートウェイ９２２によって回線が開放されるため、受信側ＦＡＸ装置１００と送信側ＦＡＸ装置２００との間で通信が行われない。さらに中継ＦＡＸ装置３００は、受信側ＦＡＸ装置１００の代わりに送信側ＦＡＸ装置２００に対して被呼識別信号（ＣＥＤ信号）を送信する。これにより、送信側ＦＡＸ装置２００から中継ＦＡＸ装置３００に対してＦＡＸデータが送信され、中継ＦＡＸ装置３００は、そのＦＡＸデータを受信して自身のメモリに一旦蓄積する。送信完了後は、中継ＦＡＸ装置３００と送信側ＦＡＸ装置２００との回線を開放する。
【００３９】
次に、中継ＦＡＸ装置３００は、改めて受信側ＦＡＸ装置１００の電話番号をダイヤルし、受信側ＦＡＸ装置１００との回線を閉結する。そして、中継ＦＡＸ装置３００から受信側ＦＡＸ装置１００に対してＦＡＸデータが送信される。これにより、送信側ＦＡＸ装置２００から送信されたＦＡＸデータが受信側ＦＡＸ装置１００に届くことになる。送信完了後は、中継ＦＡＸ装置３００と受信側ＦＡＸ装置１００との回線を開放する。なお、ＭＦＰ２００が受信側となり、ＭＦＰ１００が送信側となった場合も、上述した手順と同様に、中継ＦＡＸ装置３００がＭＦＰ１００からのＦＡＸデータを一旦受信し、その後、中継ＦＡＸ装置３００がＭＦＰ２００にそのＦＡＸデータを送信する手順を踏むことになる。
【００４０】
しかしながら、上述した手順において、ゲートウェイ９２２が回線を開放するよりも前に、受信側ＦＡＸ装置１００がＣＥＤ信号を送信する場合がある。例えば、受信側ＦＡＸ装置１００が、Ｆ／Ｔモード（ＦＡＸと電話とを自動的に切り替えるモード）に設定されている場合、ＣＮＧ信号の受信後に即時にＣＥＤ信号を送信してしまう、あるいはＦＡＸ受信専用モードが設定されている場合、ＣＮＧ信号の受信の有無に関わらず即時にＣＥＤ信号を送信してしまう。その場合、送信側ＦＡＸ装置２００は、受信側ＦＡＸ装置１００からのＣＥＤ信号と、中継ＦＡＸ装置３００からのＣＥＤ信号と、をそれぞれ受け取ることになり、結果として送信失敗となる。
【００４１】
そこで、本形態のシステム９００では、図３に示す手順で蓄積ＦＡＸを実現する。なお、図３に示す手順では、受信側ＦＡＸ装置１００には、ＦＡＸ専用モードが設定されているものとする。
【００４２】
先ず、送信側ＦＡＸ装置２００からの発呼によって送信側ＦＡＸ装置２００と受信側ＦＡＸ装置１００との回線が閉結されると、受信側ＦＡＸ装置１００は、ＣＮＧ信号の受信を待たずに即時にＣＥＤ信号を送信する。すなわち、受信側ＦＡＸ装置１００と送信側ＦＡＸ装置２００との間で、ＦＡＸデータの受信に先立って行われる接続手続を開始する。接続手続には、ＣＥＤ信号の送信の他、能力情報のやり取りやトレーニング信号のやり取りが含まれる。
【００４３】
一方、送信側ＦＡＸ装置２００から受信側ＦＡＸ装置１００に対してＣＮＧ信号が送信されると、中継ＦＡＸ装置３００がＣＮＧ信号を見つけ、送信側ＦＡＸ装置２００に対してＣＥＤ信号を送信し、さらに送信側ＦＡＸ装置２００と受信側ＦＡＸ装置１００との回線をゲートウェイ９２２に強制的に切断させる。中継ＦＡＸ装置３００は、送信側ＦＡＸ装置２００が受信側ＦＡＸ装置１００との間で回線を閉結していることから、送信側ＦＡＸ装置２００との接続手続に失敗する。また、送信側ＦＡＸ装置２００は、受信側ＦＡＸ装置１００との回線が強制的に開放されることから、受信側ＦＡＸ装置１００との接続手続が失敗する。
【００４４】
受信側ＦＡＸ装置１００は、送信側ＦＡＸ装置２００との接続手続に失敗すると、未完了フラグをオンにする。未完了フラグは、接続手続が完了しなかったことを示す情報であり、ＲＡＭ５２あるいはＮＶＲＡＭ５７に記憶される。すなわち、受信側ＦＡＸ装置１００にとっては、蓄積ＦＡＸ電話回線網９２０を経由したＦＡＸ受信か否かの区別がつかないため、受信側ＦＡＸ装置１００は、蓄積ＦＡＸ電話回線網９２０を経由したＦＡＸ受信であったことを示す情報として、未完了フラグを記憶する。未完了フラグは、特定情報の一例である。ここまでの段階を第１段階とする。
【００４５】
その後、第２段階として、送信側ＦＡＸ装置２００は、ＦＡＸ送信が完了できなかったことから、再送信を行う。そのため、再び、送信側ＦＡＸ装置２００から発呼を行い、送信側ＦＡＸ装置２００と受信側ＦＡＸ装置１００との回線が閉結される。このとき、受信側ＦＡＸ装置１００は、未完了フラグがオンであることを条件として、ＣＥＤ信号を送信側ＦＡＸ装置２００に送信しない。すなわち、受信側ＦＡＸ装置１００と送信側ＦＡＸ装置２００との間で、接続手続を開始しない。さらに受信側ＦＡＸ装置１００は、その後、送信側ＦＡＸ装置２００との回線が開放されたことを条件として、未完了フラグをオフにする。ここでの送信側ＦＡＸ装置２００との回線の開放は、ゲートウェイ９２２によるものとなる。
【００４６】
一方、送信側ＦＡＸ装置２００は、第１段階と同様に、受信側ＦＡＸ装置１００に対してＣＮＧ信号を送信し、中継ＦＡＸ装置３００がＣＮＧ信号を見つけ、送信側ＦＡＸ装置２００と受信側ＦＡＸ装置１００との回線をゲートウェイ９２２に強制的に開放させ、さらに送信側ＦＡＸ装置２００との回線を閉結して送信側ＦＡＸ装置２００に対してＣＥＤ信号を送信する。
【００４７】
送信側ＦＡＸ装置２００では、中継ＦＡＸ装置３００からのＣＥＤ信号を受信した後、中継ＦＡＸ装置３００との接続手続を開始する。そして、送信側ＦＡＸ装置２００は、中継ＦＡＸ装置３００に対してＦＡＸデータを送信する。これにより、送信側ＦＡＸ装置２００から送信されたＦＡＸデータが、中継ＦＡＸ装置３００に蓄積される（図２中の（１））。ＦＡＸデータの送信完了後は、中継ＦＡＸ装置３００との回線を開放する。ここまでの段階を第２段階とする。
【００４８】
その後、第３段階として、中継ＦＡＸ装置３００は、受信側ＦＡＸ装置１００に対して発呼を行い、受信側ＦＡＸ装置１００と回線を接続する。受信側ＦＡＸ装置１００は、未完了フラグがオフであることから、即時にＣＥＤ信号を中継ＦＡＸ装置３００に送信する。すなわち、受信側ＦＡＸ装置１００と中継ＦＡＸ装置３００との間で、接続手続を開始する。
【００４９】
接続手続の完了後、中継ＦＡＸ装置３００は、受信側ＦＡＸ装置１００に対して、第２段階において蓄積されたＦＡＸデータを送信する。これにより、送信側ＦＡＸ装置２００から送信されたＦＡＸデータが、受信側ＦＡＸ装置１００に受け渡される（図２中の（２））。ＦＡＸデータの送信完了後は、受信側ＦＡＸ装置１００との回線を開放する。ここまでの段階が３段階である。
【００５０】
＜第１の形態＞
＜メイン処理＞
続いて、前述した受信側ＦＡＸ装置１００（ＭＦＰ１００）の動作を実現する詳細手順について、図４のフローチャートを参照しつつ説明する。なお、図４のフローチャートは、ＦＡＸ受信専用モードが設定されている場合のメイン処理であり、ＭＦＰ１００が起動したことを契機に、ＡＳＩＣ４１のＣＰＵ４０によって実行される。なお、このメイン処理は、ＦＡＸ受信の説明に必要な処理を記載したものであり、その他の処理（例えば、ＦＡＸ送信）については省略している。
【００５１】
図４に示したメイン処理では、ＣＰＵ４０は先ず、モデム２３が呼出信号を受信したか否かを判断する（Ｓ１０１）。モデム２３が呼出信号を受信していなければ（Ｓ１０１：ＮＯ）、ＣＰＵ４０は、Ｓ１０１の判断を繰り返す。
【００５２】
モデム２３が呼出信号を受信した場合（Ｓ１０１：ＹＥＳ）、ＣＰＵ４０は、モデム２３に電話回線を閉結させる（Ｓ１０２）。これにより、相手先装置との間での回線が接続されることになる。
【００５３】
Ｓ１０２の後、ＣＰＵ４０は、モデム２３にＦＡＸ通信を行わせるＦＡＸ通信処理を、ＣＮＧ信号の受信の有無に関わらず実行する（Ｓ１１１）。Ｓ１１１の詳細は後述する。Ｓ１１１の後、ＣＰＵ４０は、モデム２３に電話回線を開放させる（Ｓ１２１）。これにより、相手先装置との間での回線が切断されることになる。
【００５４】
Ｓ１２１の後、ＣＰＵ４０は、メイン処理を終了する。なお、メイン処理の終了後は、ＭＦＰ１００が起動中であれば再度メイン処理が実行され、モデム２３が次の呼出信号を受信すると、再びＳ１０２以降の処理が実行される。
【００５５】
＜ＦＡＸ通信処理＞
続いて、Ｓ１１１のＦＡＸ通信処理について、図５のフローチャートを参照しつつ説明する。ＦＡＸ通信処理では、ＣＰＵ４０は先ず、未完了フラグがオンでかつその未完了フラグの有効期限を経過したか否かを判断する（Ｓ１４１）。未完了フラグは、前述したように今回の呼出信号を受信する前に行われた接続手続が完了しなかった場合にオンになるフラグであり、さらにオンになった際に、有効期限を判断するためのタイマがセットされる。Ｓ１４１では、そのタイマによる時間が所定の有効時間を超えた場合に、有効期限を経過したと判断される。
【００５６】
未完了フラグがオンでかつその未完了フラグの有効期限を経過している場合（Ｓ１４１：ＹＥＳ）、ＣＰＵ４０は、未完了フラグをオフにする（Ｓ１４２）。未完了フラグがオンの場合、後述するビジートーンを検出している間、通常時よりも受信完了までの時間が長くなる。そのため、未完了フラグがオンである状態に有効期限を設け、そのような状況を限定的にする。
【００５７】
Ｓ１４２の後、あるいは未完了フラグがオフであるあるいは未完了フラグの有効期限を経過していない場合（Ｓ１４１：ＮＯ）、ＣＰＵ４０は、未完了フラグがオンであるか否かを判断する（Ｓ１５１）。
【００５８】
未完了フラグがオフの場合（Ｓ１５１：ＮＯ）、ＣＰＵ４０は、相手先装置との間で、ＣＥＤ信号の送信や能力情報のやり取りを含む接続手続を、モデム２３に開始させる（Ｓ１５２）。具体的な接続手続としては、先ず、モデム２３によって、ＣＥＤ信号を送信する。さらに、能力情報のやり取りとして、通信速度、圧縮方式、用紙サイズ、の情報を互いに送信し（ＤＩＳ信号やＤＣＳ信号等のやり取り）、ＦＡＸデータを受信するための適切な通信条件を決定する。さらに、通信条件を決定した後は、決定した通信条件に基づくトレーニング信号のやり取りを行う（ＴＣＦ信号やＣＦＲ信号等のやり取り）。このトレーニング信号のやり取りが正常に完了することで、接続手続が正常に完了する。
【００５９】
Ｓ１５２の後、ＣＰＵ４０は、接続手続が正常に完了したか否かを判断する（Ｓ１５３）。接続手続が正常に完了した場合（Ｓ１５３：ＹＥＳ）、ＣＰＵ４０は、モデム２３にＦＡＸデータの受信を開始させる（Ｓ１６１）。具体的にＳ１６１では、モデム２３によって、画信号の受信を開始する。そして、画信号の受信を、最終ページを示す信号（ＥＯＰ信号）を受信するまで継続し、最終ページを示す信号を受信することで終了する。なお、ＣＰＵ４０は、モデム２３が１ページ分のＦＡＸデータを受信する度に、そのＦＡＸデータに基づく画像の印刷を画像形成部５３に行わせる。Ｓ１５１、Ｓ１５２およびＳ１５３は、ＦＡＸ受信準備処理の一例である。Ｓ１６１は、ＦＡＸデータ受信処理の一例である。
【００６０】
Ｓ１６１の後、ＣＰＵ４０は、モデム２３によるＦＡＸデータの受信が終了したか否かを判断する（Ｓ１６２）。ＦＡＸデータの受信が終了していない場合（Ｓ１６２：ＮＯ）、ＦＡＸデータの受信を継続する。ＦＡＸデータの受信が終了している場合（Ｓ１６２：ＹＥＳ）、ＦＡＸ通信処理を終了する。
【００６１】
また、接続手続が正常に完了しなかった、すなわち接続手続に失敗した場合（Ｓ１５３：ＮＯ）、ＣＰＵ４０は、未完了フラグをオンにする（Ｓ１７１）。さらに未完了フラグの有効期限を計時するタイマをセットする（Ｓ１７２）。なお、有効期限は、例えば１０分とする。Ｓ１７２の後、ＦＡＸ通信処理を終了する。Ｓ１７１は、ＦＡＸ受信準備処理の一例である。
【００６２】
また、未完了フラグがオフの場合（Ｓ１５１：ＹＥＳ）、ＣＰＵ４０は、Ｓ１０２にて電話回線が閉結されてから所定の検出時間が経過したか否かを判断する（Ｓ１８１）。検出時間は、今回のＦＡＸ受信が蓄積ＦＡＸであった場合にゲートウェイ９２２が強制的に電話回線を切断するのを待つための時間であり、例えば３秒とする。電話回線が閉結されてから検出時間が経過していない場合（Ｓ１８１：ＮＯ）、ＣＰＵ４０は、電話回線が開放されたことを示すビジートーンが検出されたか否かを判断する（Ｓ１８２）。ビジートーンが検出されていない場合（Ｓ１８２：ＮＯ）、ＣＰＵ４０は、Ｓ１８１とＳ１８２とを繰り返す。Ｓ１８２およびＳ１８３は、ＦＡＸ受信準備処理の一例である。
【００６３】
検出時間が経過する前にビジートーンが検出された場合（Ｓ１８２：ＹＥＳ）、ＣＰＵ４０は、未完了フラグをオフにする（Ｓ１８３）。そして、ＦＡＸ通信処理を終了する。すなわち、検出時間が経過する前に、ビジートーンが検出された場合、今回の着信が前回の蓄積ＦＡＸが失敗したことに伴う再送信であり、ゲートウェイ９２２によって強制的に電話回線が切断された可能性が高い。そのため、その後に直ぐに送られて来る中継ＦＡＸ装置３００からＦＡＸデータの送信に備えて、未完了フラグをオフに戻し、ＦＡＸデータを受信できるようにする。
【００６４】
一方、ビジートーンを検出することなく検出時間が経過した場合（Ｓ１８１：ＹＥＳ）、ＣＰＵ４０は、Ｓ１５２に移行して接続手続を開始する。すなわち、ビジートーンを検出することなく検出時間が経過した場合、今回の着信が前回の蓄積ＦＡＸが失敗したことに伴う送信側ＦＡＸ装置２００からの再送信ではなく、一般回線網９１０に接続される別のＦＡＸ装置からの通常のＦＡＸ受信となる。そのため、速やかに接続手続を開始し、ＦＡＸデータを受信できるようにする。
【００６５】
本形態では、蓄積ＦＡＸを実現するため、図３に示したように、受信側ＦＡＸ装置１００が３回の発呼を受け付ける。そのため、前述したメイン処理が３回実行される。具体的に、図３に示した第１段階（蓄積ＦＡＸが失敗する段階）では、未完了フラグがオフであり（Ｓ１５１：ＮＯ）、接続手続が即時に開始されるものの（Ｓ１５２）、ゲートウェイ９２２によって電話回線が強制的に切断されることから、その接続手続に失敗する（Ｓ１５３：ＮＯ）。そのため、未完了フラグがオンになる（Ｓ１７１）。
【００６６】
図３に示した第２段階（再送信の段階）では、未完了フラグがオンであり（Ｓ１５１：ＹＥＳ）、検出時間が経過する前にビジートーンが検出される（Ｓ１８２：ＹＥＳ）。これにより、未完了フラグをオフに戻し（Ｓ１８３）、接続手続を開始することなく、メイン処理を終える。これにより、送信側ＦＡＸ装置２００から中継ＦＡＸ装置３００へのＦＡＸデータの送信が正常に行われる。
【００６７】
図３に示した第３段階（中継ＦＡＸ装置３００がＦＡＸデータを送信する段階）では、未完了フラグがオフであり（Ｓ１５１：ＮＯ）、接続手続が即時に開始される（Ｓ１５２）。この段階では、電話回線が強制的に切断されることはないため、通常のＦＡＸ通信と同様に、接続手続が完了し（Ｓ１５３：ＹＥＳ）、ＦＡＸデータを受信できるようになる（Ｓ１６１）。
【００６８】
以上詳細に説明したように、蓄積ＦＡＸに加入している送信側ＦＡＸ装置２００が接続先であった場合、回線の閉結後に即時に接続手続が開始されたとしても、ゲートウェイ９２２によって電話回線が切断されることから、受信側ＦＡＸ装置１００では、接続手続が完了しない。このことから、その後、送信側ＦＡＸ装置２００からの再送信がある。そこで、受信側ＦＡＸ装置１００では、前の接続手続が未完了で終了した場合には、電話回線を閉結させた後、即時に接続手続を開始するのではなく、所定の検出時間が経過するまでの間、ビジートーンを検出する。そして、ビジートーンを検出した場合に、受信側ＦＡＸ装置１００は、接続手続を開始せずにメイン処理を終える。つまり、送信側ＦＡＸ装置２００からの再送信と想定される呼出信号には応答しない。これにより、蓄積ＦＡＸに加入している送信側ＦＡＸ装置２００が、受信側ＦＡＸ装置１００からのＣＥＤ信号と、中継ＦＡＸ装置３００からのＣＥＤ信号と、をそれぞれ受け取ることはない。そのため、蓄積ＦＡＸに加入している送信側ＦＡＸ装置２００から送られるＦＡＸデータが、ＦＡＸ受信専用モードの下でも受信側ＦＡＸ装置１００が受信できる。一方、受信側ＦＡＸ装置１００は、ビジートーンが検出されないまま所定の検出時間が経過した場合、送信側ＦＡＸ装置２００からの再送信ではなく、一般回線網９１０からのＦＡＸ受信であるため、モデム２３に接続手続を行わせることで、一般回線網９１０からのＦＡＸ受信も行うことができる。
【００６９】
＜第２の形態＞
続いて、前述した受信側ＦＡＸ装置１００（ＭＦＰ１００）の動作を実現する別の形態について説明する。なお、第２の形態では、Ｆ／Ｔモード（ＦＡＸと電話とを自動的に切り替えるモード）が設定されているものとする。この点、ＦＡＸ受信専用モードが設定されている第１の形態と異なる。
【００７０】
図６は、第２の形態のメイン処理の手順を示している。本形態のメイン処理も、第１の形態と同様に、ＭＦＰ１００が起動したことを契機に、ＡＳＩＣ４１のＣＰＵ４０によって実行される。図６では、第１の形態のメイン処理（図４参照）と同様の処理については同じ符号を付している。
【００７１】
第２の形態のメイン処理では、Ｓ１０２の後、ＣＰＵ４０は、モデム２３がＦＡＸ識別信号（ＣＮＧ信号）を受信したか否かを判断する（Ｓ２１１）。モデム２３がＣＮＧ信号を受信していない場合（Ｓ２１１：ＮＯ）、ＣＰＵ４０は、Ｓ１０２にて電話回線を閉結した後、所定の受信時間が経過したか否かを判断する（Ｓ２１２）。本形態では、例えば受信時間を３秒とする。
【００７２】
モデム２３が受信時間を経過した場合（Ｓ２１２：ＹＥＳ）、電話の呼び出しであることから、ＣＰＵ４０は、通常の電話処理を行う（Ｓ２２１）。Ｓ２２１の後、ＣＰＵ４０は、モデム２３に電話回線を開放させ（Ｓ１２１）、メイン処理を終了する。受信時間を経過する前にＣＮＧ信号を受信した場合（Ｓ２１１：ＹＥＳ）、ＣＰＵ４０は、Ｓ１１１に移行して、第１の形態と同様のＦＡＸ通信処理を実行する。すなわち、未完了フラグがオフであれば速やかに接続手続を開始し、未完了フラグがオンであれば所定の検出時間が経過するまでビジートーンを検出する。受信時間を経過していない場合（Ｓ２１２：ＮＯ）、ＣＰＵ４０は、Ｓ２１１とＳ２１２とを繰り返す。
【００７３】
上述したように第２の形態であっても、受信側ＦＡＸ装置１００では、第１の形態と同様に、前の接続手続が未完了で終了した場合には、電話回線を閉結させた後、所定の検出時間が経過するまでの間、ビジートーンを検出する。そして、ビジートーンを検出した場合に、受信側ＦＡＸ装置１００は、ＣＥＤ信号の送信を含む接続手続を開始しない。つまり、蓄積ＦＡＸに加入している送信側ＦＡＸ装置２００からの再送信と想定される呼出信号には応答しない。これにより、蓄積ＦＡＸに加入している送信側ＦＡＸ装置２００が、受信側ＦＡＸ装置１００からのＣＥＤ信号と、中継ＦＡＸ装置３００からのＣＥＤ信号と、をそれぞれ受け取ることはない。そのため、蓄積ＦＡＸに加入している送信側ＦＡＸ装置２００から送られるＦＡＸデータが、ＦＡＸ受信専用モードの下でも受信側ＦＡＸ装置１００が受信できる。
【００７４】
＜第３の形態＞
続いて、前述した受信側ＦＡＸ装置１００（ＭＦＰ１００）の動作を実現するさらなる別の形態について説明する。なお、第３の形態では、第２の形態と同様に、Ｆ／Ｔモードが設定されているものとする。
【００７５】
また、第３の形態では、ＭＦＰ１００がナンバーディスプレイ機能を有しており、さらに相手先の電話番号とＦＡＸの通信タイプとを関連付けて記憶するデータベースを有している。本形態のＭＦＰ１００は、相手先の電話番号に基づいて蓄積ＦＡＸ受信か否かを決定し、決定した通信タイプに応じた受信処理を実行する。
【００７６】
図７は、ＭＦＰ１００が有するデータベース５７１の構成を示している。データベース５７１は、ＮＶＲＡＭ５７に記憶される。データベース５７１は、識別情報であるＩＤと、電話番号と、ＦＡＸの通信タイプと、登録日時と、を１つのレコードとして記憶している。ＩＤは、レコードの登録時に自動的に付される。通信タイプには、蓄積ＦＡＸを示す情報か、一般回線を示す情報か、のいずれか一方が記憶される。レコードは、操作部５５を介したユーザ操作によって登録される。
【００７７】
＜メイン処理＞
第３の形態のメイン処理の詳細手順について、図８のフローチャートを参照しつつ説明する。本形態のメイン処理も、第１の形態と同様に、ＭＦＰ１００が起動したことを契機に、ＡＳＩＣ４１のＣＰＵ４０によって実行される。
【００７８】
図８に示したメイン処理では、ＣＰＵ４０は先ず、モデム２３がＣＡＲ信号を受信したか否かを判断する（Ｓ３０１）。ＣＡＲ信号は、呼出信号（ＲＩＮＧ信号）とは異なる送出間隔の信号であり、ナンバーディスプレイの呼出を示す信号である。ＣＡＲ信号は、起動信号の一例である。モデム２３がＣＡＲ信号を受信していなければ（Ｓ３０１：ＮＯ）、ＣＰＵ４０は、Ｓ３０１の判断を繰り返す。
【００７９】
モデム２３がＣＡＲ信号を受信した場合（Ｓ３０１：ＹＥＳ）、ＣＰＵ４０は、モデム２３に電話回線を閉結させる（Ｓ３０２）。これにより、ＣＡＲ信号の送信元とＭＦＰ１００との間での回線が接続されることになる。
【００８０】
Ｓ３０２の後、ＣＰＵ４０は、モデム２３がＣＡＲ信号の送信元の電話番号を受信した後、その電話番号をＲＡＭ５２に記憶する（Ｓ３０３）。Ｓ３０３は、番号受信処理の一例である。そして、ＣＰＵ４０は、モデム２３に電話回線を一旦開放させる（Ｓ３０４）。これにより、ＣＡＲ信号の送信元とＭＦＰ１００との間での回線が一旦切断されることになる。
【００８１】
Ｓ３０４の後、ＣＰＵ４０はモデム２３が呼出信号を受信したか否かを判断する（Ｓ３１１）。モデム２３が呼出信号を受信していない間（Ｓ３１１：ＮＯ）、ＣＰＵ４０は、Ｓ３１１の処理を繰り返す。
【００８２】
モデム２３が呼出信号を受信した場合（Ｓ３１１：ＹＥＳ）、ＣＰＵ４０は、モデム２３に電話回線を再度閉結させる（Ｓ３１２）。これにより、相手先装置との間での回線が再度接続されることになる。なお、呼出信号を受信した後、表示部５６にＳ３０３にて受信した電話番号を表示させてもよい。
【００８３】
Ｓ３１２の後、ＣＰＵ４０は、モデムがＣＮＧ信号を受信したか否かを判断する（Ｓ３２１）。モデム２３がＣＮＧ信号を受信していない場合（Ｓ３２１：ＮＯ）、ＣＰＵ４０は、受信時間が経過したか否かを判断する（Ｓ３２２）。
【００８４】
受信時間を経過した場合（Ｓ３２２：ＹＥＳ）、ＣＰＵ４０は、通常の電話処理を行う（Ｓ３２３）。受信時間を経過していない場合（Ｓ３２２：ＮＯ）、ＣＰＵ４０は、Ｓ３２１とＳ３２２とを繰り返す。なお、本形態は、ＦＡＸ受信専用モードであっても適用可能である。その場合は、Ｓ３２１、Ｓ３２２、およびＳ３２３の処理を省略し、Ｓ３１２の後はＳ３３１を実行すればよい。
【００８５】
受信時間を経過する前にモデム２３がＣＮＧ信号を受信した場合（Ｓ３２１：ＹＥＳ）、ＣＰＵ４０は、データベース５７１を参照し、Ｓ３０３にて受信した電話番号と、データベース５７１に登録されている電話番号と、を照合する（Ｓ３３１）。そして、ＣＰＵ４０は、Ｓ３０３にて受信した電話番号がデータベース５７１に登録されているか否かを判断する（Ｓ３３２）。
【００８６】
Ｓ３０３にて受信した電話番号がデータベース５７１に登録されていると判断した場合（Ｓ３３２：ＹＥＳ）、ＣＰＵ４０は、その電話番号の通信タイプに応じたＦＡＸ受信をモデム２３に行わせる登録済受信処理を実行する（Ｓ３４１）。Ｓ３４１の詳細は後述する。一方、Ｓ３０３にて受信した電話番号がデータベース５７１に登録されていないと判断した場合（Ｓ３３２：ＮＯ）、ＣＰＵ４０は、第１の形態ないし第２の形態と同様のＦＡＸ通信処理を実行する（Ｓ３４２）。すなわち、受信した電話番号がデータベース５７１に登録されていない場合は、第１の形態ないし第２の形態と同様の処理を行う。
【００８７】
Ｓ３２３、Ｓ３４１、あるいはＳ３４２の後、ＣＰＵ４０は、モデム２３に電話回線を開放させ（Ｓ３５１）、メイン処理を終了する。なお、メイン処理の終了後は、ＭＦＰ１００が起動中であれば再度メイン処理が実行され、モデム２３が次のＣＡＲ信号を受信すると、再びＳ３０２以降の処理が実行される。
【００８８】
＜登録済受信処理＞
続いて、Ｓ３４１の登録済受信処理について、図９のフローチャートを参照しつつ説明する。
【００８９】
登録済受信処理では、ＣＰＵ４０は先ず、Ｓ３０３にて受信した電話番号に対応する通信タイプが蓄積ＦＡＸか否かを判断する（Ｓ４０１）。通信タイプが蓄積ＦＡＸではない、すなわち一般回線である場合（Ｓ４０１：ＮＯ）、ＣＰＵ４０は、相手先装置との間で、ＣＥＤ信号の送信および能力情報のやり取りを含む接続手続を、モデム２３に開始させる（Ｓ４０２）。そして、接続手続が完了した後、ＣＰＵ４０は、モデム２３にＦＡＸデータの受信を開始させる（Ｓ４０３）。
【００９０】
通信タイプが蓄積ＦＡＸの場合（Ｓ４０１：ＹＥＳ）、ＣＰＵ４０は、２回目フラグがオンか否かを判断する（Ｓ４１１）。すなわち、蓄積ＦＡＸでは、送信側ＦＡＸ装置２００からの１回目の発呼と、中継ＦＡＸ装置３００からの２回目の発呼がある。２回目フラグは、２回目の発呼であることを示すフラグであり、ＲＡＭ５２あるいはＮＶＲＡＭ５７に記憶される。そして、１回目の発呼であれば、２回目フラグはオフになっている。
【００９１】
そのため、２回目フラグがオフの場合（Ｓ４１１：ＮＯ）、ＣＰＵ４０は、ビジートーンが検出されたか否かを判断する（Ｓ４１２）。ビジートーンが検出されていない場合（Ｓ４１２：ＮＯ）、ＣＰＵ４０は、Ｓ３１２にてモデム２３に電話回線を閉結させた後、所定の検出時間が経過したか否かを判断する（Ｓ４１３）。検出時間を経過していない場合（Ｓ４１３：ＮＯ）、ＣＰＵ４０は、Ｓ４１２とＳ４１３の処理を繰り返す。
【００９２】
検出時間が経過する前にビジートーンが検出された場合（Ｓ４１２：ＹＥＳ）、ＣＰＵ４０は、２回目フラグをオンにし（Ｓ４２１）、登録済受信処理を終了する。すなわち、１回目の蓄積ＦＡＸの受信では、接続手続が開始されない。
【００９３】
ビジートーンが検出されることなく検出時間が経過した場合（Ｓ４１３：ＹＥＳ）、ＣＰＵ４０は、モデム２３に接続手続を開始させる（Ｓ４３１）。そして、接続手続の完了後、ＣＰＵ４０は、モデム２３にＦＡＸデータの受信を開始させる（Ｓ４３２）。
【００９４】
一方、２回目フラグがオンの場合（Ｓ４１１：ＹＥＳ）、ＣＰＵ４０は、モデム２３に接続手続を開始させる（Ｓ４４１）。そして、接続手続の完了後、ＣＰＵ４０は、モデム２３にＦＡＸデータの受信を開始させる（Ｓ４４２）。さらに、ＣＰＵ４０は、２回目フラグをオフにする（Ｓ４４３）。
【００９５】
Ｓ４０３でのＦＡＸデータの受信が完了した後、あるいはＳ４２１の後、あるいはＳ４３２の後、あるいはＳ４４３の後、ＣＰＵ４０は、登録済受信処理を終了する。すなわち、受信した電話番号によって蓄積ＦＡＸであることがわかる場合、１回目の発呼では接続手続を行わず、２回目の発呼では回線の閉結後に速やかに接続手続を行う。また、受信した電話番号によって一般回線であることがわかる場合も、回線の閉結後に速やかに接続手続を行う。
【００９６】
以上詳細に説明したように第３の形態では、通信タイプが蓄積ＦＡＸであることが分かる場合、ＦＡＸ送信が失敗しないように１回目の発呼では接続手続を行わず、２回目の発呼では接続手続を行う。これにより、送信側ＦＡＸ装置２００での再送信を無くすことができる。また、通信タイプが不明の場合、第１の形態や第２の形態と同様にＦＡＸ通信処理を行っているため、蓄積ＦＡＸに加入している送信側ＦＡＸ装置２００から送られる再送信時のＦＡＸデータを、受信側ＦＡＸ装置１００が受信できる。
【００９７】
＜第３の形態の変形例＞
なお、上述した第３の形態では、データベース５７１のレコードがユーザによって手動で登録されるが、ＭＦＰ１００が自動的に登録してもよい。この場合、図８に示した第３の形態のメイン処理のＳ３４２のＦＡＸ通信処理の代わりに、新しい電話番号のデータベース５７１への登録とＦＡＸデータの受信とを行う未登録受信処理を行う。本変形例では、初めての相手先からの電話の際、ＭＦＰ１００がその電話番号に対応するレコードを登録することで、ユーザの登録の手間を省くことができる。
【００９８】
＜未登録受信処理＞
続いて、第３の形態の変形例における未登録受信処理について、図１０のフローチャートを参照しつつ説明する。
【００９９】
未登録受信処理では、ＣＰＵ４０は先ず、Ｓ３１２にて電話回線が閉結されてから所定の検出時間が経過したか否かを判断する（Ｓ５０１）。電話回線が閉結されてから検出時間が経過していない場合（Ｓ５０１：ＮＯ）、ＣＰＵ４０は、ビジートーンが検出されたか否かを判断する（Ｓ５０２）。ビジートーンが検出されていない場合（Ｓ５０２：ＮＯ）、ＣＰＵ４０は、Ｓ５０１とＳ５０２とを繰り返す。
【０１００】
検出時間が経過する前にビジートーンが検出された場合（Ｓ５０２：ＹＥＳ）、蓄積ＦＡＸでのゲートウェイ９２２による強制的な回線の切断によるものである可能性が高い。そこで、ＣＰＵ４０は、接続手続を開始せず、２回目フラグをオンにする（Ｓ５２１）。そして、ＣＰＵ４０は、Ｓ３０３にて受信した電話番号に対応する新たなレコードをデータベース５７１に登録し、そのレコードの通信タイプに「蓄積ＦＡＸ」を示す情報を記憶する（Ｓ５２２）。
【０１０１】
一方、ビジートーンを検出することなく検出時間が経過した場合（Ｓ５０１：ＹＥＳ）、一般回線網９１０からのＦＡＸ受信である可能性が高い。そこで、ＣＰＵ４０は、モデム２３に接続手続を開始させる（Ｓ５１１）。そして、接続手続の完了後、ＣＰＵ４０は、モデム２３にＦＡＸデータの受信を開始させる（Ｓ５１２）。そして、ＣＰＵ４０は、Ｓ３０３にて受信した電話番号に対応する新たなレコードをデータベース５７１に登録し、そのレコードの通信タイプに「一般回線」を示す情報を記憶する（Ｓ５１３）。
【０１０２】
Ｓ５１３の後、あるいはＳ５２２の後、ＣＰＵ４０は、未登録受信処理を終了する。Ｓ３４２において未登録受信処理を行った場合、蓄積ＦＡＸの際に接続手続を行わないため、蓄積ＦＡＸの２回目の発呼においてＳ３４１の登録済受信処理を行ったとしても蓄積ＦＡＸが失敗せず、送信側ＦＡＸ装置２００による再送信の必要が無い。
【０１０３】
なお、図１０に示した未登録受信処理では、検出時間が経過する前にビジートーンが検出されるか否かによって、蓄積ＦＡＸか否かを判断しているが、接続手続を速やかに開始し、接続手続が完了するか否かによって判断してもよい。この場合、図１１に示すように、ＣＰＵ４０は先ず、ＣＥＤ信号の送信を含む接続手続を、モデム２３に開始させる（Ｓ５５１）。
【０１０４】
その後、ＣＰＵ４０は、接続手続が正常に完了したか否かを判断する（Ｓ５５２）。蓄積ＦＡＸであれば、ゲートウェイ９２２による強制的な回線の切断によって接続手続が完了しない。一方で、蓄積ＦＡＸでなければ接続手続が完了する可能性が高い。
【０１０５】
そこで、接続手続が正常に完了した場合（Ｓ５５２：ＹＥＳ）、ＣＰＵ４０は、モデム２３にＦＡＸデータの受信を開始させ（Ｓ５１２）、Ｓ３０３にて受信した電話番号に対応する新たなレコードをデータベース５７１に登録し、そのレコードの通信タイプに「一般回線」を示す情報を記憶する（Ｓ５１３）。
【０１０６】
一方、接続手続が正常に完了しなかった場合（Ｓ５５２：ＮＯ）、ＣＰＵ４０は、２回目フラグをオフにする（Ｓ５５３）。そして、ＣＰＵ４０は、Ｓ３０３にて受信した電話番号に対応する新たなレコードをデータベース５７１に登録し、そのレコードの通信タイプに「蓄積ＦＡＸ」を示す情報を記憶する（Ｓ５２２）。
【０１０７】
図１１の未登録受信処理では、蓄積ＦＡＸの際に送信側ＦＡＸ装置２００による再送信が必要になるが、検出時間の経過を待たずに接続手続を開始するため、一般回線網９１０からのＦＡＸ受信の際、図１０の未登録受信処理と比較して、早期にＦＡＸデータの受信を開始できる。
【０１０８】
なお、本実施の形態は単なる例示にすぎず、本発明を何ら限定するものではない。したがって本発明は当然に、その要旨を逸脱しない範囲内で種々の改良、変形が可能である。例えば、ＭＦＰに限らず、パーソナルコンピュータ、ＦＡＸ専用装置等、ＦＡＸデータの受信機能を備えるものであれば適用可能である。
【０１０９】
また、実施の形態では、未完了フラグに有効期限が設けられているが、有効期限を設けなくてもよい。この場合、有効期限の判断、および未完了フラグの有効期限を計時するタイマは不要である。
【０１１０】
また、実施の形態に開示されている処理は、単一のＣＰＵ、複数のＣＰＵ、ＡＳＩＣなどのハードウェア、またはそれらの組み合わせで実行されてもよい。また、実施の形態に開示されている処理は、その処理を実行するためのプログラムを記録した記録媒体、または方法等の種々の態様で実現することができる。
【符号の説明】
【０１１１】
２３  モデム
４０  ＣＰＵ
１００  ＭＦＰ（受信側ＦＡＸ装置）
２００  ＭＦＰ（送信側ＦＡＸ装置）
３００  中継ＦＡＸ装置
【図１】
2018174363.tif 000003
【図２】
2018174363.tif 000004
【図３】
2018174363.tif 000005
【図４】
2018174363.tif 000006
【図５】
2018174363.tif 000007
【図６】
2018174363.tif 000008
【図７】
2018174363.tif 000009
【図８】
2018174363.tif 000010
【図９】
2018174363.tif 000011
【図１０】
2018174363.tif 000012
【図１１】
2018174363.tif 000013